【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
近隣認識ネットワーク（ＮＡＮ）の第１のデバイスにおいて、発見ウィンドウを利用するために低電力スリープモードから出る時間と低電力スリープモードに入る時間の少なくとも１つを決定する方法であって、
前記第１のデバイスにおけるクロックに従って、前記発見ウィンドウの可能性のある最も早い開始時間を決定することと、
前記決定された可能性のある最も早い開始時間において、前記低電力スリープモードからより高電力のアクティブモードに遷移すること、ここで、前記決定された可能性のある最も早い開始時間は、前記第１のデバイスと関連付けられるクロックドリフト値と、前記ネットワークの第２のデバイスと関連付けられるクロックドリフト値とに少なくとも一部基づく、と、
前記第２のデバイスから、前記発見ウィンドウの開始時間を定義する信号を受信することと、
前記発見ウィンドウの前記開始時間を定義する前記信号を受信した後の所定の持続期間の終端において、前記低電力スリープモードに遷移することと
を備え、前記所定の持続期間は、前記第１のデバイスが送信するための持続期間とは無関係であり、前記所定の持続期間は、所定の発見ウィンドウの持続期間と、前記第１のデバイスと関連付けられる前記クロックドリフト値と前記第２のデバイスと関連付けられる前記クロックドリフト値との合計の２倍とを足したものに等しい、
方法。
【請求項２】
前記所定の持続期間は、前記所定の発見ウィンドウの持続期間にほぼ等しい、
請求項１に記載の方法。
【請求項３】
前記低電力スリープモードから遷移した後の前記所定の持続期間の終端において、前記低電力スリープモードに遷移することを備える、
請求項１に記載の方法。
【請求項４】
前記第１のデバイスと関連付けられる前記クロックドリフト値が、前記第２のデバイスと関連付けられる前記クロックドリフト値とほぼ同じである、
請求項１に記載の方法。
【請求項５】
前記第１のデバイスと関連付けられる前記クロックドリフト値が、前記第２のデバイスと関連付けられる前記クロックドリフト値と異なる、
請求項１に記載の方法。
【請求項６】
前記発見ウィンドウの前記決定された可能性のある最も早い開始時間は、前記発見ウィンドウの予想される開始時間から、前記第１のデバイスと関連付けられる前記クロックドリフト値と前記第２のデバイスと関連付けられる前記クロックドリフト値との合計を引いたものに等しい、
請求項１に記載の方法。
【請求項７】
前記クロックドリフト値は、隣接する発見ウィンドウの間の持続期間に少なくとも一部基づく、
請求項１に記載の方法。
【請求項８】
近隣認識ネットワーク（ＮＡＮ）におけるワイヤレス通信デバイスであって、
第２のデバイスから、発見ウィンドウの開始時間を定義する信号を受信するように構成された送受信機回路と、
ネットワーク化されたデバイス間のタイミングの同期のために使用される前記発見ウィンドウの間に、ワイヤレスネットワーク中の他のワイヤレス通信デバイスと通信し、
前記ワイヤレス通信デバイスにおけるクロック源に従って、発見ウィンドウの可能性のある最も早い開始時間を決定し、
前記決定された可能性のある最も早い開始時間において、前記ワイヤレス通信デバイスを低電力スリープモードからより高電力のアクティブモードに遷移させ、ここで、前記決定された可能性のある最も早い開始時間は、前記ワイヤレス通信デバイスと関連付けられる最大のクロックドリフト値と、前記第２のデバイスと関連付けられる最大のクロックドリフト値とに少なくとも一部基づく、
前記発見ウィンドウの前記開始時間を定義する前記信号を受信した後の所定の持続期間の終端において、前記ワイヤレス通信デバイスを前記低電力スリープモードに遷移させる
ように構成されるプロセッサと
を備え、
前記所定の持続期間は、前記ワイヤレス通信デバイスが送信するための持続期間とは無関係であり、前記所定の持続期間は、所定の発見ウィンドウの持続期間と、前記ワイヤレス通信デバイスと関連付けられる前記クロックドリフト値と前記第２のデバイスと関連付けられる前記クロックドリフト値との合計の２倍とを足したものに等しい、
ワイヤレス通信デバイス。
【請求項９】
前記所定の持続期間は、前記所定の発見ウィンドウの持続期間にほぼ等しい、
請求項８に記載のワイヤレス通信デバイス。
【請求項１０】
前記プロセッサは、前記低電力スリープモードから遷移した後の前記所定の持続期間の終端において、前記低電力スリープモードに入るように構成される、
請求項８に記載のワイヤレス通信デバイス。
【請求項１１】
前記ワイヤレス通信デバイスと関連付けられる前記クロックドリフト値が、前記第２のデバイスと関連付けられる前記クロックドリフト値とほぼ同じである、
請求項８に記載のワイヤレス通信デバイス。
【請求項１２】
前記ワイヤレス通信デバイスと関連付けられる前記クロックドリフト値は、前記第２のデバイスと関連付けられる前記クロックドリフト値と異なる、
請求項８に記載のワイヤレス通信デバイス。
【請求項１３】
前記発見ウィンドウの前記決定された可能性のある最も早い開始時間は、前記発見ウィンドウの予想される開始時間から、前記ワイヤレス通信デバイスと関連付けられる前記クロックドリフト値と前記第２のデバイスと関連付けられる前記クロックドリフト値との合計を引いたものに等しい、
請求項８に記載のワイヤレス通信デバイス。
【請求項１４】
前記クロックドリフト値は、隣接する発見ウィンドウの間の持続期間に少なくとも一部基づく、
請求項８に記載のワイヤレス通信デバイス。
【請求項１５】
ワイヤレス通信デバイスに、
ネットワーク化されたデバイス間のタイミングの同期のために使用される発見ウィンドウの間に、ワイヤレスネットワーク中の他のワイヤレス通信デバイスと通信することと、
前記ワイヤレス通信デバイスにおけるクロック源に従って、発見ウィンドウの可能性のある最も早い開始時間を決定することと、
前記決定された可能性のある最も早い開始時間において、低電力スリープモードからより高電力のアクティブモードに遷移すること、ここで、前記決定された可能性のある最も早い開始時間は、前記ワイヤレス通信デバイスと関連付けられる最大のクロックドリフト値と、第２のワイヤレス通信デバイスと関連付けられる最大のクロックドリフト値とに少なくとも一部基づく、と、
前記第２のデバイスから、前記発見ウィンドウの開始時間を定義する信号を受信することと、
前記発見ウィンドウの前記開始時間を定義する前記信号を受信した後の所定の持続期間の終端において、前記低電力スリープモードに遷移することと
を行わせる命令を記憶し、前記所定の持続期間は、前記ワイヤレス通信デバイスが送信するための持続期間とは無関係であり、前記所定の持続期間は、所定の発見ウィンドウの持続期間と、前記ワイヤレス通信デバイスと関連付けられる前記クロックドリフト値と前記第２のデバイスと関連付けられる前記クロックドリフト値との合計の２倍とを足したものに等しい、
非一時的コンピュータ可読媒体。
【請求項１６】
前記所定の持続期間は、所定の発見ウィンドウの持続期間にほぼ等しい、
請求項１５に記載の媒体。
【請求項１７】
前記命令は、前記ワイヤレス通信デバイスに、前記低電力スリープモードから遷移した後の前記所定の持続期間の終端において、前記低電力スリープモードに遷移することを行わせる、
請求項１５に記載の媒体。
【請求項１８】
前記発見ウィンドウの前記決定された可能性のある最も早い開始時間は、前記発見ウィンドウの予想される開始時間から、前記ワイヤレス通信デバイスと関連付けられる前記クロックドリフト値と前記第２のデバイスと関連付けられる前記クロックドリフト値との合計を引いたものに等しい、
請求項１５に記載の媒体。
【請求項１９】
前記ワイヤレス通信デバイスと関連付けられる前記クロックドリフト値は、前記第２のデバイスと関連付けられる前記クロックドリフト値とほぼ同じである、
請求項１５に記載の媒体。
【請求項２０】
前記ワイヤレス通信デバイスと関連付けられる前記クロックドリフト値は、前記第２のデバイスと関連付けられる前記クロックドリフト値と異なる、
請求項１５に記載の媒体。
【請求項２１】
前記クロックドリフト値は、隣接する発見ウィンドウの間の持続期間に少なくとも一部基づく、
請求項１５に記載の媒体。
【請求項２２】
ワイヤレスネットワークのワイヤレス通信デバイスであって、
ネットワーク化されたデバイス間のタイミングの同期のために使用される発見ウィンドウの間に、前記ワイヤレスネットワーク中の他のワイヤレス通信デバイスと通信するための手段と、
前記ワイヤレス通信デバイスにおけるクロック源に従って、前記発見ウィンドウの可能性のある最も早い開始時間を決定するための手段と、
前記決定された可能性のある最も早い開始時間において、低電力スリープモードからより高電力のアクティブモードに遷移するための手段、ここで、前記決定された可能性のある最も早い開始時間は、前記ワイヤレス通信デバイスと関連付けられるクロックドリフト値と、第２のデバイスと関連付けられるクロックドリフト値とに少なくとも一部基づく、と、
前記第２のデバイスから、前記発見ウィンドウの開始時間を定義する信号を受信するための手段と、
前記発見ウィンドウの前記開始時間を定義する前記信号を受信した後の所定の持続期間の終端において、前記低電力スリープモードに遷移するための手段と、
を備え、前記所定の持続期間は、前記ワイヤレス通信デバイスが送信するための持続期間とは無関係であり、前記所定の持続期間は、所定の発見ウィンドウの持続期間と、前記ワイヤレス通信デバイスと関連付けられる前記クロックドリフト値と前記第２のデバイスと関連付けられる前記クロックドリフト値との合計の２倍とを足したものに等しい、
ワイヤレス通信デバイス。
【請求項２３】
前記所定の持続期間は、前記所定の発見ウィンドウの持続期間にほぼ等しい、
請求項２２に記載のワイヤレス通信デバイス。
【請求項２４】
前記遷移するための手段は、前記低電力スリープモードから遷移した後の前記所定の持続期間の終端において、前記低電力スリープモードに入るように構成される、
請求項２２に記載のワイヤレス通信デバイス。
【請求項２５】
前記ワイヤレス通信デバイスと関連付けられる前記クロックドリフト値は、前記第２のデバイスと関連付けられる前記クロックドリフト値とほぼ同じである、
請求項２２に記載のワイヤレス通信デバイス。
【請求項２６】
前記ワイヤレス通信デバイスと関連付けられる前記クロックドリフト値は、前記第２のデバイスと関連付けられる前記クロックドリフト値と異なる、
請求項２２に記載のワイヤレス通信デバイス。
【請求項２７】
前記発見ウィンドウの前記決定された可能性のある最も早い開始時間は、前記発見ウィンドウの予想される開始時間から、前記ワイヤレス通信デバイスと関連付けられる前記クロックドリフト値と前記第２のデバイスと関連付けられる前記クロックドリフト値との合計を引いたものに等しい、
請求項２２に記載のワイヤレス通信デバイス。
【請求項２８】
前記クロックドリフト値は、隣接する発見ウィンドウの間の持続期間に少なくとも一部基づく、
請求項２２に記載のワイヤレス通信デバイス。
【手続補正２】
【補正対象書類名】明細書
【補正対象項目名】０１７９
【補正方法】変更
【補正の内容】
【０１７９】
[0198]同様に、動作は特定の順序で図面に示されているが、これは、望ましい結果を達成するために、そのような動作が、示される特定の順序でまたは順番に実行されること、あるいはすべての図示の動作が実行されることが必要であると理解されるべきでない。特定の状況では、マルチタスキングおよび並列処理が有利であり得る。その上、上で説明された実装形態の様々なシステムコンポーネントの分離は、すべての実装形態においてそのような分離を必要とするものとして理解されるべきではなく、説明されるプログラムコンポーネントおよびシステムは、一般に、単一のソフトウェア製品に一体化されてよく、または複数のソフトウェア製品にパッケージングされてよいことを理解されたい。加えて、他の実装形態も、以下の特許請求の範囲内に含まれる。いくつかの場合には、特許請求の範囲に記載される行為は、異なる順序でも実行されることがあり、それでも望ましい結果を達成し得る。
以下に本願発明の当初の特許請求の範囲に記載された発明を付記する。
［Ｃ１］
デバイスのワイヤレスネットワークの第１のデバイスにおいて、発見ウィンドウを利用するために低電力スリープモードから出る時間と低電力スリープモードに入る時間の少なくとも１つを決定する方法であって、
前記第１のデバイスにおけるクロックに従って、発見ウィンドウの可能性のある最も早い開始時間を決定することと、
ほぼ、前記決定された可能性のある最も早い開始時間において、前記低電力スリープモードからより高電力のアクティブモードに遷移することと
を備え、前記決定された可能性のある最も早い開始時間は、前記第１のデバイスと関連付けられるクロックドリフト値と、前記ワイヤレスネットワークの第２のデバイスと関連付けられるクロックドリフト値とに少なくとも一部基づく、
方法。
［Ｃ２］
前記第２のデバイスから、前記発見ウィンドウの開始時間を定義する信号を受信することを備える、
Ｃ１に記載の方法。
［Ｃ３］
前記発見ウィンドウの開始時間を定義する前記信号が受信される時間の後の所定の持続期間の終端において、前記低電力スリープモードに遷移することを備える、
Ｃ２に記載の方法。
［Ｃ４］
前記所定の時間は、所定の発見ウィンドウの持続期間にほぼ等しい、
Ｃ３に記載の方法。
［Ｃ５］
前記低電力スリープモードから移行した後の所定の持続期間の終端において、前記低電力スリープモードに遷移することを備える、
Ｃ１に記載の方法。
［Ｃ６］
前記所定の持続期間は、所定の発見ウィンドウの持続期間と、前記第１のデバイスと関連付けられる前記クロックドリフト値と前記第２のデバイスと関連付けられる前記クロックドリフト値との合計の２倍とを足したものにほぼ等しい、
Ｃ５に記載の方法。
［Ｃ７］
前記第１のデバイスと関連付けられる前記クロックドリフト値が、前記第２のデバイスと関連付けられる前記クロックドリフト値とほぼ同じである、
Ｃ１に記載の方法。
［Ｃ８］
前記第１のデバイスと関連付けられる前記クロックドリフト値が、前記第２のデバイスと関連付けられる前記クロックドリフト値と異なる、
Ｃ１に記載の方法。
［Ｃ９］
前記発見ウィンドウの前記決定された可能性のある最も早い開始時間は、前記発見ウィンドウの予想される開始時間から、前記第１のデバイスと関連付けられる前記クロックドリフト値と前記第２のデバイスと関連付けられる前記クロックドリフト値との合計を引いたものに等しい、
Ｃ１に記載の方法。
［Ｃ１０］
前記クロックドリフト値は、隣接する発見ウィンドウの間の持続期間に少なくとも一部基づく、
Ｃ１に記載の方法。
［Ｃ１１］
ワイヤレス通信デバイスであって、
送受信機回路と、
ネットワーク化されたデバイス間のタイミングの同期のために使用される発見ウィンドウの間に、ワイヤレスネットワーク中の他のワイヤレス通信デバイスと通信し、
ワイヤレス通信デバイスにおけるクロック源に従って、発見ウィンドウの可能性のある最も早い開始時間を決定し、
ほぼ、前記決定された可能性のある最も早い開始時間において、低電力スリープモードからより高電力のアクティブモードに遷移する
ように構成されるプロセッサと
を備え、前記決定された可能性のある最も早い開始時間は、前記ワイヤレス通信デバイスと関連付けられる最大のクロックドリフト値と、第２のデバイスと関連付けられる最大のクロックドリフト値とに少なくとも一部基づく、
ワイヤレス通信デバイス。
［Ｃ１２］
前記プロセッサおよび送受信機回路は、前記第２のデバイスから、前記発見ウィンドウの開始時間を定義する信号を受信するように構成される、
Ｃ１１に記載のデバイス。
［Ｃ１３］
前記プロセッサは、前記デバイスに、前記発見ウィンドウの開始時間を定義する前記信号が受信される時間の後の所定の持続期間の終端において、前記低電力スリープモードへ遷移させるように構成される、
Ｃ１２に記載のデバイス。
［Ｃ１４］
前記所定の時間は、所定の発見ウィンドウの持続期間にほぼ等しい、
Ｃ１３に記載のデバイス。
［Ｃ１５］
前記プロセッサは、前記低電力スリープモードから移行した後の所定の持続期間の終端において、前記低電力スリープモードに入るように構成される、
Ｃ１１に記載のデバイス。
［Ｃ１６］
前記所定の持続期間は、所定の発見ウィンドウの持続期間と、前記ワイヤレス通信デバイスと関連付けられる前記クロックドリフト値と前記第２のデバイスと関連付けられる前記クロックドリフト値との合計の２倍とを足したものにほぼ等しい、
Ｃ１５に記載のデバイス。
［Ｃ１７］
前記ワイヤレス通信デバイスと関連付けられる前記クロックドリフト値が、前記第２のデバイスと関連付けられる前記クロックドリフト値とほぼ同じである、
Ｃ１１に記載のデバイス。
［Ｃ１８］
前記ワイヤレス通信デバイスと関連付けられる前記クロックドリフト値は、前記第２のデバイスと関連付けられる前記クロックドリフト値と異なる、
Ｃ１１に記載のデバイス。
［Ｃ１９］
前記発見ウィンドウの前記決定された可能性のある最も早い開始時間は、前記発見ウィンドウの予想される開始時間から、前記ワイヤレス通信デバイスと関連付けられる前記クロックドリフト値と前記第２のデバイスと関連付けられる前記クロックドリフト値との合計を引いたものに等しい、
Ｃ１１に記載のデバイス。
［Ｃ２０］
前記クロックドリフト値は、隣接する発見ウィンドウの間の持続期間に少なくとも一部基づく、
Ｃ１１に記載のデバイス。
［Ｃ２１］
ワイヤレス通信デバイスに、
ネットワーク化されたデバイス間のタイミングの同期のために使用される発見ウィンドウの間に、ワイヤレスネットワーク中の他のワイヤレス通信デバイスと通信することと、
前記ワイヤレス通信デバイスにおけるクロック源に従って、発見ウィンドウの可能性のある最も早い開始時間を決定することと、
ほぼ、前記決定された可能性のある最も早い開始時間において、低電力スリープモードからより高電力のアクティブモードに遷移することと
を行わせる命令を記憶し、前記決定された可能性のある最も早い開始時間は、前記ワイヤレス通信デバイスと関連付けられる最大のクロックドリフト値と、第２のデバイスと関連付けられる最大のクロックドリフト値とに少なくとも一部基づく、
非一時的コンピュータ可読媒体。
［Ｃ２２］
ワイヤレス通信デバイスに、前記第２のデバイスから、前記発見ウィンドウの開始時間を定義する信号を受信させる命令をさらに記憶した、Ｃ２１に記載の媒体。
［Ｃ２３］
ワイヤレス通信デバイスに、前記発見ウィンドウの開始時間を定義する前記信号が受信される時間の後の所定の持続期間の終端において、低電力スリープモードへ遷移することを行わせる命令をさらに記憶した、
Ｃ２２に記載の媒体。
［Ｃ２４］
前記所定の時間は、所定の発見ウィンドウの持続期間にほぼ等しい、
Ｃ２３に記載の媒体。
［Ｃ２５］
前記命令は、前記デバイスに、前記低電力スリープモードから移行した後の所定の持続期間の終端において、前記低電力スリープモードへ遷移するこを行わせる、
Ｃ２１に記載の媒体。
［Ｃ２６］
前記所定の持続期間は、所定の発見ウィンドウの持続期間と、前記ワイヤレス通信デバイスと関連付けられる前記クロックドリフト値と前記第２のデバイスと関連付けられる前記クロックドリフト値との合計の２倍とを足したものにほぼ等しい、
Ｃ２５に記載の媒体。
［Ｃ２７］
前記発見ウィンドウの前記決定された可能性のある最も早い開始時間は、前記発見ウィンドウの予想される開始時間から、前記ワイヤレス通信デバイスと関連付けられる前記クロックドリフト値と前記第２のデバイスと関連付けられる前記クロックドリフト値との合計を引いたものに等しい、
Ｃ２１に記載の媒体。
［Ｃ２８］
前記ワイヤレス通信デバイスと関連付けられる前記クロックドリフト値は、前記第２のデバイスと関連付けられる前記クロックドリフト値とほぼ同じである、
Ｃ２１に記載の媒体。
［Ｃ２９］
前記ワイヤレス通信デバイスと関連付けられる前記クロックドリフト値は、前記第２のデバイスと関連付けられる前記クロックドリフト値と異なる、
Ｃ２１に記載の媒体。
［Ｃ３０］
前記発見ウィンドウの前記決定された可能性のある最も早い開始時間は、前記発見ウィンドウの予想される開始時間から、前記ワイヤレス通信デバイスと関連付けられる前記クロックドリフト値と前記第２のデバイスと関連付けられる前記クロックドリフト値との合計を引いたものに等しい、
Ｃ２１に記載の媒体。
［Ｃ３１］
前記クロックドリフト値は、隣接する発見ウィンドウの間の持続期間に少なくとも一部基づく、
Ｃ２１に記載の媒体。
［Ｃ３２］
ワイヤレスネットワークのワイヤレス通信デバイスであって、
ネットワーク化されたデバイス間のタイミングの同期のために使用される発見ウィンドウの間に、ワイヤレスネットワーク中の他のワイヤレス通信デバイスと通信するための手段と、
前記ワイヤレス通信デバイスにおけるクロック源に従って、発見ウィンドウの可能性のある最も早い開始時間を決定するための手段と、
ほぼ、前記決定された可能性のある最も早い開始時間において、低電力スリープモードからより高電力のアクティブモードに遷移するための手段と
を備え、前記決定された可能性のある最も早い開始時間は、前記ワイヤレス通信デバイスと関連付けられるクロックドリフト値と、第２のデバイスと関連付けられるクロックドリフト値とに少なくとも一部基づく、
ワイヤレス通信デバイス。
［Ｃ３３］
前記通信するための手段は、前記第２のデバイスから、前記発見ウィンドウの開始時間を定義する信号を受信するように構成される、
Ｃ３２に記載のデバイス。
［Ｃ３４］
前記遷移するための手段は、前記デバイスに、前記発見ウィンドウの開始時間を定義する前記信号が受信される時間の後の所定の持続期間の終端において、前記低電力スリープモードへ遷移させるように構成される、
Ｃ３３に記載のデバイス。
［Ｃ３５］
前記所定の時間は、所定の発見ウィンドウの持続期間にほぼ等しい、
Ｃ３４に記載のデバイス。
［Ｃ３６］
前記遷移するための手段は、前記低電力スリープモードから移行した後の所定の持続期間の終端において、前記低電力スリープモードに入るように構成される、
Ｃ３２に記載のデバイス。
［Ｃ３７］
前記所定の持続期間は、所定の発見ウィンドウの持続期間と、前記ワイヤレス通信デバイスと関連付けられる前記クロックドリフト値と前記第２のデバイスと関連付けられる前記クロックドリフト値との合計の２倍とを足したものにほぼ等しい、
Ｃ３６に記載のデバイス。
［Ｃ３８］
前記ワイヤレス通信デバイスと関連付けられる前記クロックドリフト値は、前記第２のデバイスと関連付けられる前記クロックドリフト値とほぼ同じである、
Ｃ３２に記載のデバイス。
［Ｃ３９］
前記ワイヤレス通信デバイスと関連付けられる前記クロックドリフト値は、前記第２のデバイスと関連付けられる前記クロックドリフト値と異なる、
Ｃ３２に記載のデバイス。
［Ｃ４０］
前記発見ウィンドウの前記決定された可能性のある最も早い開始時間は、前記発見ウィンドウの予想される開始時間から、前記ワイヤレス通信デバイスと関連付けられる前記クロックドリフト値と前記第２のデバイスと関連付けられる前記クロックドリフト値との合計を引いたものに等しい、
Ｃ３２に記載のデバイス。
［Ｃ４１］
前記クロックドリフト値は、隣接する発見ウィンドウの間の持続期間に少なくとも一部基づく、
Ｃ３２に記載のデバイス。